(57)【特許請求の範囲】
【請求項１】
電子機器のアドレスが、前記電子機器の接続／抜去によって自動的に付与されるインターフェースバスに、前記電子機器が接続されて成る電子機器連係システムにおいて、前記インターフェースバスに接続される第１の電子機器には、他の電子機器に対して、ある特定の属性を有する電子機器の応答を求める応答要求コマンドを順次発信するコマンド発行手段が設けられる一方、そのコマンドが求める属性を具備した第２の電子機器には、前記応答要求コマンドの受信に応じ、人が目視又は聴覚で確認可能な応答を行う応答手段が設けられ、
前記第１の電子機器には、前記応答要求コマンドに応答した第２の電子機器の利用の有無を選択する指示を入力可能な選択手段と、前記選択手段に前記応答要求コマンドに応答した第２の電子機器の利用の選択指示が入力されると、前記応答要求コマンドに応答した第２の電子機器に選択コマンドを発行する選択コマンド発行手段と、前記選択コマンド発行手段が前記選択コマンドを発行した第２の電子機器の識別情報を保存する保存手段とが設けられることを特徴とする電子機器連係システム。
【請求項２】
前記第１の電子機器には、前記選択手段に前記応答要求コマンドに応答した第２の電子機器の利用の選択解除指示が入力されると、前記第２の電子機器に選択解除コマンドを発行する選択解除コマンド発行手段が設けられ、
前記保存手段は、前記選択解除コマンド発行手段が前記選択解除コマンドを発行した第２の電子機器の識別情報を開放し、
前記応答手段は、前記選択コマンド又は前記選択解除コマンドを受信したことに応じ、それぞれ異なる応答を行うことを特徴とする請求項１に記載の電子機器連係システム。
【請求項３】
電子機器のアドレスが、前記電子機器の接続／抜去によって自動的に付与されるインターフェースバスに、前記電子機器が接続されて成る電子機器連係システムにおいて、前記インターフェースバスに接続される第１の電子機器には、他の電子機器に対して、ある特定の属性を有する電子機器の応答を求める応答要求コマンドを順次発信するコマンド発行手段が設けられる一方、そのコマンドが求める属性を具備した第２の電子機器には、前記応答要求コマンドの受信に応じ、人が目視又は聴覚で確認可能な応答を行う応答手段が設けられ、
前記第１の電子機器には、前記応答要求コマンドに応答した第２の電子機器の利用の有無を選択する指示を入力可能な選択手段と、前記選択手段に前記応答要求コマンドに応答した第２の電子機器の利用の選択指示が入力されると、前記応答要求コマンドに応答した第２の電子機器に選択コマンドを発行する選択コマンド発行手段と、前記選択手段に前記応答要求コマンドに応答した第２の電子機器の利用の選択解除指示が入力されると、前記第２の電子機器に選択解除コマンドを発行する選択解除コマンド発行手段とが設けられ、
前記応答手段は、前記選択コマンド又は前記選択解除コマンドを受信したことに応じ、それぞれ異なる応答を行うことを特徴とする電子機器連係システム。
【請求項４】
前記第１の電子機器には、前記第２の電子機器の応答の終了を求める応答終了要求コマンドを発信する応答終了要求コマンド発行手段が設けられ、前記応答手段は、前記応答終了要求コマンドを受信すると、前記応答を終了することを特徴とする請求項１〜３のいずれかに記載の電子機器連係システム。
【請求項５】
前記第１の電子機器には、前記応答要求コマンドに応答した第２の電子機器に関する情報のみを選択対象となる電子機器として一覧表示する表示部が設けられていることを特徴とする請求項１〜４のいずれかに記載の電子機器連係システム。
【請求項６】
電子機器のアドレスが、前記電子機器の接続／抜去によって自動的に付与されるインターフェースバスに、前記電子機器に含まれる複数台のプリンタと少なくとも１台の画像信号処理装置とが接続されて成るプリントシステムであって、前記画像信号処理装置には、操作部の操作に応じて通信先のアドレスを順次変更しながら、前記インターフェースバスに接続されている他の電子機器に対してプリンタの応答要求コマンドを発信するコマンド発行手段が設けられる一方、前記複数台の各プリンタには、前記画像信号処理装置からの応答要求コマンドを受信した時に、人が目視又は聴覚で確認できる応答を行う応答手段が設けられ、
前記画像信号処理装置には、前記応答要求コマンドに応答したプリンタの利用の有無を選択する指示を入力可能な選択手段と、前記選択手段に前記プリンタの利用の選択指示が入力されると、前記プリンタに選択コマンドを発行する選択コマンド発行手段と、前記選択コマンド発行手段が前記選択コマンドを発行したプリンタの識別情報を保存する保存手段とが設けられることを特徴とするプリントシステム。
【請求項７】
前記画像信号処理装置には、前記選択手段に前記応答要求コマンドに応答したプリンタの利用の選択解除指示が入力されると、前記プリンタに選択解除コマンドを発行する選択解除コマンド発行手段が設けられ、
前記保存手段は、前記選択解除コマンド発行手段が前記選択解除コマンドを発行したプリンタの識別情報を開放し、
前記応答手段は、前記選択コマンド又は前記選択解除コマンドを受信したことに応じ、それぞれ異なる応答を行うことを特徴とする請求項６に記載のプリントシステム。
【請求項８】
電子機器のアドレスが、前記電子機器の接続／抜去によって自動的に付与されるインターフェースバスに、前記電子機器に含まれる複数台のプリンタと少なくとも１台の画像信号処理装置とが接続されて成るプリントシステムであって、前記画像信号処理装置には、操作部の操作に応じて通信先のアドレスを順次変更しながら、前記インターフェースバスに接続されている他の電子機器に対してプリンタの応答要求コマンドを発信するコマンド発行手段が設けられる一方、前記複数台の各プリンタには、前記画像信号処理装置からの応答要求コマンドを受信した時に、人が目視又は聴覚で確認できる応答を行う応答手段が設けられ、
前記画像信号処理装置には、前記応答要求コマンドに応答したプリンタの利用の有無を選択する指示を入力可能な選択手段と、前記選択手段に前記応答要求コマンドに応答したプリンタの利用の選択指示が入力されると、前記応答要求コマンドに応答したプリンタに選択コマンドを発行する選択コマンド発行手段と、前記選択手段に前記応答要求コマンドに応答したプリンタの利用の選択解除指示が入力されると、前記プリンタに選択解除コマンドを発行する選択解除コマンド発行手段とが設けられ、
前記応答手段は、前記選択コマンド又は前記選択解除コマンドを受信したことに応じ、それぞれ異なる応答を行うことを特徴とするプリントシステム。
【請求項９】
前記画像信号処理装置には、前記プリンタの応答の終了を求める応答終了要求コマンドを発信する応答終了要求コマンド発行手段が設けられ、前記応答手段は、前記応答終了要求コマンドを受信すると、前記応答を終了することを特徴とする請求項６〜８のいずれかに記載のプリントシステム。
【請求項１０】
前記画像信号処理装置には、前記応答要求コマンドに応答したプリンタに関する情報のみを選択対象となるプリンタとして一覧表示する表示部が設けられていることを特徴とする請求項６〜９のいずれかに記載のプリントシステム。
【請求項１１】
電子機器のアドレスが、前記電子機器の接続／抜去によって自動的に付与されるインターフェースバスに接続される画像信号処理装置であって、前記インターフェースバスに接続された電子機器に対して、ある特定の属性を有する電子機器の応答を求める応答要求コマンドを順次発信するコマンド発行手段と、前記応答要求コマンドに応答した電子機器の利用の有無を選択する指示を入力可能な選択手段と、前記選択手段に前記電子機器の利用の選択指示が入力されると、前記電子機器に選択コマンドを発行する選択コマンド発行手段と、前記選択コマンド発行手段が前記選択コマンドを発行した電子機器の識別情報を保存する保存手段とを備えたことを特徴とする画像信号処理装置。
【請求項１２】
前記選択手段に前記電子機器の利用の選択解除指示が入力されると、前記電子機器に選択解除コマンドを発行する選択解除コマンド発行手段を備え、前記保存手段は、前記選択解除コマンド発行手段が前記選択解除コマンドを発行した電子機器の識別情報を開放することを特徴とする請求項１１に記載の画像信号処理装置。
【請求項１３】
前記応答要求コマンドに応答した電子機器に関する情報のみを選択対象となる電子機器として一覧表示する表示部を備えたことを特徴とする請求項１１又は１２に記載の画像信号処理装置。
【請求項１４】
前記インターフェースバスに接続された電子機器のアドレスと、各電子機器固有の識別符合とを関連付けて画面上に表示する表示手段と、前記表示手段に表示されたアドレスの中から、特定のアドレスを選択するための第２の選択手段と、前記第２の選択手段で選択したアドレスに対応する電子機器に、入力操作部からの入力に従って所望の名称を定義付ける名称付与手段と、前記名称付与手段で定めた名称を、その電子機器の属性及び固有の識別符合と関連付けて記録する記録手段と、を備えた請求項１１〜１３のいずれかに記載の画像信号処理装置。
【請求項１５】
電子機器のアドレスが、前記電子機器の接続／抜去によって自動的に付与されるインターフェースバスに接続されるプリンタであって、前記電子機器から発行されるプリンタの応答要求コマンドの受信に応じ、人が目視又は聴覚で確認可能な応答を行う応答手段を備え、
前記応答手段は、前記電子機器から発行されるプリンタの利用の選択指示の有無を示す選択コマンド又は前記選択解除コマンドを受信したことに応じ、それぞれ異なる応答を行うことを特徴とするプリンタ。
【請求項１６】
前記応答手段は、前記電子機器から発行される前記応答の終了を求める応答終了要求コマンドを受信すると、前記応答を終了する請求項１５記載のプリンタ。
【発明の詳細な説明】
【０００１】
【発明の属する技術分野】
本発明は電子機器連係システムに係り、特に、デジタルカメラやスキャナー等の画像信号処理装置とプリンタとを直接接続したプリントシステムに用いて好適な電子機器連係システムに関する。
【０００２】
【従来の技術】
デジタルカメラとデジタルプリンタを直結してプリントするシステムとして、ＲＳ−２３２Ｃ、或いはＲＳ−４２２の従来型シリアルインターフェースを利用したものと、ＳＣＳＩを利用したものが知られている。
しかし、これら従来のシリアルを利用したプリントシステムは、デジタルカメラとプリンタとを１対１の接続で利用するものであって、１台のデジタルカメラと複数台のプリンタとを接続して利用する態様（１対多）や複数台のデジタルカメラと１台プリンタとを接続して利用する態様（多対１）は不可能である。また、ＳＣＳＩでは複数台接続可能だが活線抜去ができず簡便に使うには難があった。
【０００３】
一方、活線抜去が可能で主従関係のないインターフェースバス（例えば、ＩＥＥＥ１３９４）にカメラとプリンタを配置すれば、１対多、多対１でのプリント環境を実現することができる。
【０００４】
【発明が解決しようとする課題】
ところで、ＳＣＳＩ等の接続の場合は、システムに接続された機器のノードＩＤ（アドレス番号）が不変なため、固定のノードＩＤをプリンタ本体の見える所に書いておけばユーザは、それを見てプリンタの選択が出来きる。しかし、ＩＥＥＥ１３９４バスでは、機器をバスに活線追加すると、バスリセットが発生し、バスに接続された機器のアドレスが任意に変更されてしまうため、ユーザが意図した位置（例えば、机の右端）に設置されたプリンタをバスのノードアドレスでは指定できないという問題がある。
【０００５】
ＩＥＥＥ１３９４対応機器においても、ＳＣＳＩのＩＤのような固定情報として、各機器は６４ビットのＥＵＩユニークＩＤ（全世界唯一のＩＤ）を有しているが、このＥＵＩユニークＩＤをユーザに示して、これを手掛かりにユーザに所望の機器を選択させるのは困難である。
更に、通常プリンタのプリント時間は、プリントデータの画像転送時間に比較して長いため、プリントの生産性を上げるためには、複数のプリンタに巡回してプリント動作をさせたいことがある。このような場合も、従来のシステムではプリンタの順番を決めることができない。
【０００６】
本発明はこのような事情に鑑みて成されたもので、バスに接続された機器のアドレスが任意に自動設定されるインターフェースに接続された複数台の機器の中から、ユーザが所望のプリンタを容易に選択できるプリントシステムを実現可能な電子機器連係システムを提供する。
【０００７】
【課題を解決するための手段】
本発明は前記目的を達成する為に、バスに接続された電子機器のアドレスが、機器の接続／抜去によって自動的に付与されるインターフェースバスに、複数台の電子機器が接続されて成る電子機器連係システムにおいて、バスに接続される第１の電子機器には、他の電子機器に対して、ある特定の属性を有する機器の応答を求める応答要求コマンドを順次発信するコマンド発行手段が設けられる一方、そのコマンドが求める属性を具備した第２の電子機器には、前記応答要求コマンドの受信に応答して起動され、人が目視又は聴覚で確認可能な応答確認手段が設けられ、前記応答確認手段の動作を確認しながら、前記第２の電子機器の利用の有無を選択できるように構成されていることを特徴としている。
【０００８】
本発明によれば、第１の電子機器から他の電子機器に応答要求コマンドを順次発信しながら、応答確認手段の起動の有無を観察することによって、応答要求を発したアドレス（即ち、通信相手先）と、その電子機器の物理的な設置場所を容易に把握することができる。
これにより、ＩＥＥＥ１３９４インターフェースバスのように、システム内の各機器に与えられるアドレスが任意に変更されても、物理的に配置されている機器とアドレスの関係をユーザは容易に認識することができ、所望の機器を選択して利用することが可能になる。
【０００９】
また、上述した電気機器連係システムはプリントシステムに応用することが有効であり、請求項２記載の発明は、バスに接続された電子機器のアドレスが、機器の接続／抜去によって自動的に付与されるインターフェースバスに、複数台のプリンタと少なくとも１台の画像信号処理装置とが接続されて成るプリントシステムであって、前記画像信号処理装置には、操作部の操作に応じて通信先のアドレスを順次変更しながら、バスに接続されている他の電子機器に対してプリンタの応答要求コマンドを発信するコマンド発行手段が設けられる一方、前記複数台の各プリンタには、前記画像信号処理装置からの応答要求コマンドを受信した時に、人が目視又は聴覚で確認できるように起動される応答確認手段が設けられ、前記応答確認手段の動作を確認しながら、利用すべきプリンタを選択できるように構成されていることを特徴としている。
【００１０】
なお、前記画像信号処理装置の具体的な形態としては、例えば、電子カメラやスキャナーを用いることができ、また、前記応答確認手段としては、例えば、ＬＥＤ点灯やＬＣＤ表示等の応答表示手段、あるいは、ブザー音等の音声発生手段を用いることができる。
上述したプリントシステムに用いる画像信号処理装置は、請求項３に記載の如く、操作部の操作に応じて発信先のアドレスを順次変更しながら、前記他の電子機器に対して、プリンタの応答要求コマンドを発信する手段と、画像データの出力先として利用するプリンタを選択する選択手段と、を備えたことを特徴としている。
【００１１】
更に、かかる画像信号処理装置の構成に加えて、請求項４に記載したように、前記バスに接続された機器のアドレスと、各機器固有の識別符合とを関連付けて画面上に表示する表示手段と、前記表示手段に表示されたアドレスの中から、特定のアドレスを選択するための第２の選択手段と、前記第２の選択手段で選択したアドレスに対応する機器に、入力操作部からの入力に従って所望の名称を定義付ける名称付与手段と、前記名称付与手段で定めた名称を、その機器の属性及び固有の識別符合と関連付けて記録する記録手段と、を付加することが望ましい。このような構成から成る画像情報処理装置を用いれば、各機器に対して自由に名称を付与することができ、アドレスが変更されても、定めた名称を活用してその機器にアクセスすることが可能になる。
【００１２】
他方、上述した請求項１に係る電子機器連係システムに用いるプリンタの具体的な構成は、請求項５に記載の如く、前記第１の電子機器から発行されるプリンタの応答要求コマンドの受信に応じて起動され、人が目視又は聴覚で確認可能な応答確認手段を備えたことを特徴としている。
【００１３】
【発明の実施の形態】
以下添付図面に従って本発明に係る電子機器連係システムの好ましい実施の形態について詳説する。
図１は、本発明の実施の形態に係るプリントシステムのケーブル接続図である。このプリントシステム１０は、ＩＥＥＥ１３９４インターフェースを利用したものであり、７台のプリンタ１２、１４、１６、１８、２０、２２、２４と、電子カメラ（例えば、デジタルスチルカメラ）２８、カムコーダ３０、ＣＤプレーヤ３２、ＭＤプレーヤ３４、及びディスク装置３６の合計１２台のＩＥＥＥ１３９４機器がケーブル４０を介して接続されている。
【００１４】
ＩＥＥＥ１３９４インターフェースでは、各機器をチェイン（縦列）状に接続したり、ツリー状に分岐させることも可能となっている。また、ＩＥＥＥ１３９４インターフェースでは、機器をバスに追加接続したり、バスから抜き去ることによってバスリセットがかかり、バスに接続されている各機器に対して改めてノードＩＤ（アドレスに相当）が自動的に付与される。図１に示した例では、ＣＤプレーヤ３２にノードＩＤ＝０が付与され、以下、ＭＤプレーヤ３４はノードＩＤ＝１、プリンタ１２はノードＩＤ＝２、カムコーダ３０はノードＩＤ＝３、プリンタ１６はノードＩＤ＝４、ディスク装置３６はノードＩＤ＝５、電子カメラ２８はノードＩＤ＝６、プリンタ１８はノードＩＤ＝７、プリンタ２２はノードＩＤ＝８、プリンタ２０はノードＩＤ＝９、プリンタ２４はノードＩＤ＝１０、プリンタ１４はノードＩＤ＝１１という具合に、各機器に対して連番でノードＩＤが付与される。
【００１５】
図２には、本システムを構成する各機器の物理的な配置の一例を示す。同図に示したように、７台のプリンタ１２〜２４は第１ラック４２（図２中ラックＡと表示）及び第２ラック４４（図２中ラックＢと表示）に収納され、第１ラック４４の上段から、プリンタ１２、１４、１６、１８が順に縦に並んで配置され、第２ラック４４の上段から、プリンタ２０、２２、２４が順に配置される。
【００１６】
そして、第１ラック４２の左側に置かれた机４６の上に、電子カメラ２８が配置されるとともに、机４６上の左側には、上からカムコーダ３０、ＣＤプレーヤ３２、ＭＤプレーヤ３４が順に縦に並んで配置される。そして、ディスク装置３６は、机４６の下に配置される。このシステムの中で電子カメラ２８から所望のプリンタを選択して、選択したプリンタに画像データを転送してプリントすることになる。
【００１７】
図３に示したように、電子カメラ２８の背面には液晶表示器（ＬＣＤ）５０が設けられ、ＬＣＤ５０の右側にノード切り替えボタン５２、上／下キー５４、名前登録ボタン５６、及び選択／解除兼用ボタン５８が配設される。ＬＣＤ５０は、撮影前のプレビュー画像（動画）や、レリーズボタン６０等の撮影開始指示に従って撮影した画像（静止画像）、或いは、画像記録媒体から呼び出した再生画像を表示できるとともに、必要に応じてモードを切り替えて図３のような、選択入力／確認画面を表示するとができる。
【００１８】
図３に示したシステム確認画面では、システムに接続されている全ての機器について、ノードＩＤ、ユニークＩＤ、デバイス種類（機器の属性）、及び選択の有無に関する情報が、ノードＩＤの０番から順に一覧表示される。なお、１画面に表示しきれない部分については、上／下キー５４の操作に応じてスクロール表示される。
【００１９】
また、例えば、電子カメラ２８でプリントを指示するとプリンタを選択する画面に切り替わる。この時のプリンタ選択画面中には、選択対象となる同じデバイス（プリンタ）だけが表示される。このように、バスに接続されている機器のうちから、特定のコマンドに応じて機器を選択させる局面では選択対象の機器のみを表示させることにより、ユーザが所望の機器を選択しやすくなる。
【００２０】
次に、上記の如く構成されたプリントシステムにおいて、複数台のプリンタのうちから、電子カメラ２８の出力プリンタとして使用するプリンタの選択を行う手順を説明する。
図４には、カメラ側でのプリンタ選択処理の手順が示されている。カメラ側のプリンタ選択処理では、先ず、システムに接続されている各機器のコンフィグＲＯＭ情報を読み込み、ノードＩＤとユニークＩＤ、並びに、機器タイプ（デバイス種類）をカメラ２８のＬＣＤ５０に一覧表示する（ステップＳ１１０）。
【００２１】
続いて、プリンタ選択操作の終了確認を行う（ステップＳ１１２）。ユーザが選択操作の完了指示を入力しない間はプリンタ選択処理が継続され、処理はステップＳ１１４に進む。そして、ノード切り替えボタン５２の押圧操作に基づいて、ノードＩＤが指定される（ステップＳ１１４）。ノード切り替えボタン５２を１回押すとノードＩＤ＝０が指定され、以後、ノード切り替えボタン５２を１回押す毎に、指定されるノードＩＤが順次に繰り下がり循環するようになっている。
【００２２】
そして、ノード切り替えボタン５２の押圧によって得たノードＩＤに対応する機器に対して、応答要求コマンドを含むパケット（応答要求パケット）を送信する（ステップＳ１１６）。その後、通信相手からの応答パケットの有無を判別し（ステップＳ１１８）、応答パケットが無い場合はステップＳ１１２の処理に戻る。他方、ステップＳ１１８で応答パケットを受信した場合には、応答のあった機器に相当するプリンタの情報を電子カメラ２８のＧＵＩ（グラフィカルユーザインターフェース）に表示する（ステップＳ１２０）。このとき、応答したプリンタのＬＥＤが点滅するとともにブザー音が発せられるので、ユーザはプリンタのＬＥＤ点滅とブザー音を確認して（ステップＳ１２２）、そのプリンタを出力プリンタとして選択するか否かを判断する（ステップＳ１２４）。
【００２３】
応答したプリンタを出力プリンタとして選択する場合は、図３に示した選択／解除兼用ボタン５８を押して選択の指示を入力する。こうして、選択の操作が行われると、この操作に応じて選択ＯＮコマンドを発行し（ステップＳ１２６）、出力プリンタとしてプリンタのユニークＩＤ情報をメモリに保存する（ステップＳ１２８）。なお、選択されたプリンタについては、図３の画面上の「ＳＥＬ」の欄に「＊」マークが表示される。
【００２４】
その後、当該ノードＩＤのプリンタに対して応答終了要求パケットを送信して、プリンタのＬＥＤ点滅とブザー音を止め（ステップＳ１３６）、ステップＳ１１２の処理に戻る。
他方、ステップＳ１２４の判断で、応答プリンタを選択しない場合であって、既に選択状態にあるものの選択を解除する場合には（ステップＳ１３０）、図３の選択／解除兼用ボタン５８を押して選択解除の指示を入力する。こうして、選択解除の操作が行われると、この操作に応じて選択ＯＦＦコマンドを発行し（ステップＳ１３２）、解除したプリンタのユニークＩＤ情報をメモリから解放する（ステップＳ１３４）。その後は前記ステップＳ１３６を経て、ステップＳ１１２に戻る。また、ステップＳ１３０において、そもそも選択状態となっていない場合には直接ステップＳ１３６に進み、ステップＳ１１２へ戻る。
【００２５】
このようにして、ノード切り替えボタン５２を何回か押して順次ノードＩＤを変えながらプリンタの応答を確認しつつ、プリンタの選択を行う。そして、ステップＳ１１２において、プリンタの選択操作が完了したことが確認されると、選択処理が終了する。
本実施の形態に係るプリントシステムでは、プリンタ選択時に電子カメラ２８がプリンタのユニークＩＤを保存するため、以後、バスリセットが発生してノードＩＤが変更になっても、ノードスキャンにより、プリンタを自動的に見つけることができる。
【００２６】
図５には、プリンタ側のバケット受信処理の流れが示されている。電子カメラ２８から発信されたパケットをプリンタ１２〜２４が受信すると（ステップＳ１５０）、先ず、受信パケットの種類を判別する（ステップＳ１５２）。図４のステップＳ１１６で説明したプリンタ応答要求のパケットであると判別した場合には、次いで、プリンタのセレクトフラグが１（ＳＥＬ＝１）か否かの判断を行い（ステップＳ１５４）、このフラグ判別に応じて処理が分岐する。
【００２７】
即ち、プリンタが出力プリンタとして選択されていることを示すＳＥＬ＝１の場合には、プリンタの第１ＬＥＤ（例えば、緑色ＬＥＤ）の点滅を開始させるとともに（ステップＳ１５６）、プリンタの第１ブザー音声をオンにする（ステップＳ１５８）。他方、ステップＳ１５４において、このプリンタが出力プリンタとして選択されていないこととを示すＳＥＬ＝０の場合には、プリンタの第２ＬＥＤ（例えば、橙色ＬＥＤ）の点滅を開始させるとともに（ステップＳ１６０）、プリンタの第２ブザー音声をオンにする（ステップＳ１６２）。
【００２８】
このように、プリンタが出力プリンタとして選択されているか否かによって、応答時のＬＥＤ点滅色と、ブザー音を変えており、選択の有無を容易に把握することができるようになっている。
また、ステップＳ１５２の受信パケットの種類判別において、図４のステップＳ１２６で発行された選択ＯＮのパケットと判別した場合には、この指示に従って、前記セレクトフラグを１にする（ステップＳ１６４）。他方、ステップＳ１５２の判別において、図４のステップＳ１３２で発行された選択ＯＦＦのパケットと判別した場合には、この指示に従って、前記セレクトフラグを０にする（ステップＳ１６６）。
【００２９】
更に、ステップＳ１５２の受信パケットの種類判別において、図４のステップＳ１３６で発行されたプリンタ応答終了要求のパケットと判別した場合には、プリンタのＬＥＤ消灯させるとともに（ステップＳ１６８）、プリンタのブザー音声をＯＦＦにする（ステップＳ１７０）。
このように、各プリンタがノード応答要求コマンドに応答して、ＬＥＤ点滅表示又はブザー音で応答するので、プリンタの位置を容易に確認することができる。
【００３０】
次に、特定のプリンタに対して、ユーザが独自に識別名称を付与する方法について説明する。
図３に示したプリンタ選択画面で、上／下キー５４を操作するなどして所望のノードＩＤの欄を指定すると、選択に係る欄が反転表示される。この状態で、名前登録ボタン５６を押すと、ＬＣＤ５０の画面縁部にアルファベット、数字及び記述記号等（以下、単に文字という）が表示され、上／下キー５４によって所望の文字を１字ずつ選択することによってユーザが自由に名称を付けることができる。例えば、ノードＩＤ＝２のプリンタに対して「ＰＲＴ＃１」という名称を付与することができる。
【００３１】
指定した名称は、ユニークＩＤと関連付けられて電子カメラ２８のメモリに登録され、以後、接続機器一覧表示画面や、プリンタ選択画面において名称も同時に表示される。そして、その後はノードＩＤが変更されても、登録した名称でプリンタにアクセスすることができる。
上記実施の形態では電子カメラとプリンタとから成るプリントシステムを例に説明したが、電子カメラに代えてスキャナーを用いたプリントシステムにも本発明を適用できる。また、本発明は、プリントシステムに限らず、様々な種類の電子機器から構成されるシステムに広く適用することができる。
【００３２】
【発明の効果】
以上説明したように本発明に電子機器連係システムによれば、第１の電子機器から他の電子機器に応答要求コマンドを順次発信しながら、送信相手の応答確認手段の起動の有無を観察できるようにしたので、システム内の各機器に与えられるアドレスが任意に変更されても、物理的に配置されている機器とアドレスの関係をユーザは容易に認識することができ、所望の機器を選択して利用することが可能になる。
【００３３】
また、操作部の押圧操作毎に通信相手を順次切り替えながら応答要求コマンドを発信するようにしたので、十分な表示装置を備えていない機器から、特定の属性を有する機器の選択ができる。
【図面の簡単な説明】
【図１】本発明の実施の形態に係るプリントシステムのケーブル接続図
【図２】本システムを構成する各機器の物理的な配置例を示す配置図
【図３】図１に示したプリントシステムに接続される電子カメラの背面図
【図４】プリンタ選択処理の手順を示すフローチャート
【図５】プリンタ側のバケット受信処理の流れを示すフローチャート
【符号の説明】
１０…プリントシステム
１２、１４、１６、１８、２０、２２、２４…プリンタ
２８…電子カメラ
４０…ケーブル
５０…液晶表示器（ＬＣＤ）
５２…ノード切り替えボタン
５４…上／下キー
５６…名前登録ボタン
５８…選択／解除兼用ボタン
【図１】
0003981754.tif 000002
【図２】
0003981754.tif 000003
【図３】
0003981754.tif 000004
【図４】
0003981754.tif 000005
【図５】
0003981754.tif 000006